(57)【要約】【課題】光源からの出力光を走査させて被投写面上に画像を形成させる画像表示装置において、消費電力を低減させる技術を提供することを目的とする。【解決手段】光源と、光源から発生される出力光を走査させる走査部とを備え、走査部によって出力光を走査させることにより、被投射面上に画像を形成させる、画像表示装置であって、入力される画像データに基づいて、光源の駆動電流を制御して、光源から発生される出力光の光量を制御する、光源駆動部と、光源駆動部に電力を供給する光源駆動用電源と、入力される画像データに基づいて、光源駆動電源の出力電圧を制御する電圧制御部と、を備える、画像表示装置。【選択図】図１
2009258356.tif 000002
【特許請求の範囲】
【請求項１】
光源と、前記光源から発生される出力光を走査させることにより被投射面上に画像を形成させる走査部とを備えた画像表示装置であって、
入力される画像データに基づいて、前記光源の駆動電流を制御して、前記光源から発生される出力光の光量を制御する、光源駆動部と、
前記光源駆動部に電力を供給する光源駆動用電源と、
前記入力される画像データに基づいて、前記光源駆動電源の出力電圧を制御する電圧制御部と、
を備える、画像表示装置。
【請求項２】
請求項１に記載の画像表示装置であって、
前記電圧制御部は、
前記入力される画像データが、所定のデータ単位ごとに区切られた場合に、前記所定のデータ単位に属する画像データに基づいて、前記出力電圧を一定の電圧値になるように制御する、画像表示装置。
【請求項３】
請求項２に記載の画像表示装置において、
前記一定の電圧値は、前記所定のデータ単位に属する各々の画像データに対応する、前記光源から発生される出力光の各々の光量のうち、最大の光量に基づいて定められる、画像表示装置。
【請求項４】
光源と、前記光源から発生される出力光の光量を、入力される画像データに基づいて制御する光源駆動部と、前記光源駆動部に電力を供給する光源駆動用電源と、前記光源から発生される出力光を走査させる走査部とを備える画像表示装置において、前記光源駆動用電源の出力電圧を制御する電圧制御方法であって、
（ａ）前記入力される画像データが、所定のデータ単位ごとに区切られた場合に、前記所定のデータ単位に属する各々の画像データに対応する、前記光源から発生される出力光の各々の光量のうち、最大の光量を検出する工程と、
（ｂ）前記工程（ａ）において検出された前記最大の光量に基づいて、前記光源駆動用電源の出力電圧の指示値を算出する工程と、
（ｃ）前記工程（ｂ）において算出された前記出力電圧の指示値に、前記光源駆動用電源の出力電圧を制御する工程と、
を備える、電圧制御方法。
【請求項５】
コンピュータプログラムであって、
光源と、前記光源から発生される出力光の光量を、入力される画像データに基づいて制御する光源駆動部と、前記光源駆動部に電力を供給する光源駆動用電源と、前記光源から発生される出力光を走査させる走査部とを備える画像表示装置に、
前記入力される画像データが、所定のデータ単位ごとに区切られた場合に、前記所定のデータ単位に属する各々の画像データに対応する、前記光源から発生される出力光の各々の光量のうち、最大の光量を検出する機能と、
検出された前記最大の光量に基づいて、前記光源駆動用電源の出力電圧の指示値を算出する機能と、
前記算出された前記出力電圧の指示値に、前記光源駆動用電源の出力電圧を制御する機能と、
を実現させるためのコンピュータプログラム。
【発明の詳細な説明】
【技術分野】
【０００１】
本発明は、光源からの出力光を走査させて、被投写面上に画像を形成させる、画像表示装置に関する。
【背景技術】
【０００２】
従来、画像を表示する画像表示装置の一形態として、レーザ光を走査させることで画像を表示させるレーザスキャンプロジェクタが提案されている（例えば、特許文献１、２参照）。
【０００３】
【特許文献１】特開平１−２４５７８０号公報
【特許文献２】特開２００７−４７３５４号公報
【発明の開示】
【発明が解決しようとする課題】
【０００４】
レーザスキャンプロジェクタにおいて、入力される画像データの階調に応じて、レーザ光の強度変調を行なう場合に、レーザ光の光源であるレーザダイオードに供給される駆動電流を変化させて、出力光の強度を、直接変調させる場合がある。レーザダイオードに供給される駆動電流を変化させる場合には、一般に、電源とレーザダイオードとを、電流ドライバを介して接続し、電流ドライバによって、レーザダイオードに必要な電流値に調節して、電流を供給している。
【０００５】
このように電流ドライバによってレーザダイオードに供給される電流を調節すると、電流ドライバにおいて、電力が消費されるため、その分、レーザスキャンプロジェクタ全体の消費電力が大きくなるという問題がある。
【０００６】
なお、このような問題は、光源としてレーザダイオードを用いる場合に限定されず、ＬＥＤ（Light Emitting Diode：発光ダイオード）を用いる場合等、光源からの出力光を走査させて被投写面上に画像を形成させる、画像表示装置に共通する問題であった。
【０００７】
そこで、本発明は、上記した課題に鑑みて、光源からの出力光を走査させて被投写面上に画像を形成させる画像表示装置において、消費電力を低減させる技術を提供することを目的とする。
【課題を解決するための手段】
【０００８】
本発明は、上述の課題の少なくとも一部を解決するためになされたものであり、以下の形態又は適用例として実現することが可能である。
【０００９】
［適用例１］  光源と、前記光源から発生される出力光を走査させることにより被投射面上に画像を形成させる走査部とを備えた画像表示装置であって、
入力される画像データに基づいて、前記光源の駆動電流を制御して、前記光源から発生される出力光の光量を制御する、光源駆動部と、
前記光源駆動部に電力を供給する光源駆動用電源と、
前記入力される画像データに基づいて、前記光源駆動電源の出力電圧を制御する電圧制御部と、
を備える、画像表示装置。
【００１０】
光源駆動部は、入力される画像データに基づいて、光源の駆動電流を制御するため、光源駆動部に、一定の電圧の電力を供給すると、光源駆動部で、電力が無駄に消費される。しかしながら、適用例１の画像表示装置によれば、入力される画像データに基づいて、出力電圧を制御するため、例えば、光源駆動部に供給される電力の電圧を、光源駆動部が光源に供給する電流を生成するのに必要な電圧に抑えることによって、光源駆動部で消費される電力を低減することができる。
【００１１】
［適用例２］  適用例１に記載の画像表示装置であって、
前記電圧制御部は、
前記入力される画像データが、所定のデータ単位ごとに区切られた場合に、前記所定のデータ単位に属する画像データに基づいて、前記出力電圧を一定の電圧値になるように制御する、画像表示装置。
【００１２】
「所定のデータ単位ごと」とは、例えば、１フレームごと、１走査線ごと、複数走査線ごと、１画素ごと、複数画素ごと等、種々の単位の概念を含む。例えば、所定のデータ単位に属する画像データのピーク値や、平均値に基づいて、出力電圧を一定の電圧値になるように制御してもよい。
【００１３】
従来は、光源駆動部に一定の電圧の電力が供給されており、その場合、光源の最大光量を発生させるのに必要な電圧以上の電圧の電力が供給されていた。それに対し、適用例２の画像表示装置によれば、所定のデータ単位ごとに、所定のデータ単位に属する画像データに基づいて、光源駆動部に供給される電力の電圧が制御される。そのため、例えば、所定のデータ単位に含まれる画像データが、全体的に暗い場合には、光源駆動部に供給される電力の電圧を抑制すると、光源駆動部で消費される電力を低減することができ、画像表示装置における消費電力を低減させることができる。
【００１４】
［適用例３］  適用例２に記載の画像表示装置において、
前記一定の電圧値は、前記所定のデータ単位に属する各々の画像データに対応する、前記光源から発生される出力光の各々の光量のうち、最大の光量に基づいて定められる、画像表示装置。
【００１５】
適用例３の画像表示装置によれば、所定のデータ単位に属する各々の画像データに対応する、光源から発生される出力光の各々の光量のうち、最大の光量に基づいて、光源駆動部に供給される電力の電圧値が定められるため、所定のデータ単位において必要最小限の電圧値に、光源駆動部に供給される電力の電圧を抑制することができる。したがって、光源駆動部で消費される電力を低減することができ、画像表示装置における消費電力を低減させることができる。
【００１６】
なお、本発明は、上記した画像表示装置の態様に限ることなく、電圧制御方法、コンピュータプログラムとしての態様など、種々の態様で実現することも可能である。
【発明を実施するための最良の形態】
【００１７】
以下、本発明を実施するための最良の形態を、実施例に基づいて、以下の順序で説明する。
Ａ．実施例：
Ａ−１．背面投射型プロジェクタの構成：
Ａ−１−１．赤色映像処理回路の構成：
Ａ−１−２．赤色レーザ電源回路の構成：
Ａ−１−３．赤色レーザドライバの構成：
Ａ−２．赤色レーザダイオードの制御：
Ａ−３．実施例の効果
Ｂ．変形例：
【００１８】
Ａ．実施例：
Ａ−１．背面投射型プロジェクタの構成
図１は、本発明の画像表示装置の一実施例としての背面投射型プロジェクタ１００の概略構成を示すブロック図である。本実施例において、背面投射型プロジェクタ１００として、スクリーン１１０上にレーザ光を走査させて、画像を表示させるレーザスキャンディスプレイを例示している。
【００１９】
図１に示すように、背面投射型プロジェクタ１００は、赤色映像処理回路１０Ｒと、赤色レーザドライバ２０Ｒと、赤色レーザ電源回路３０Ｒと、赤色レーザダイオード４０Ｒと、緑色映像処理回路１０Ｇと、緑色レーザドライバ２０Ｇと、緑色レーザ電源回路３０Ｇと、緑色レーザダイオード４０Ｇと、青色映像処理回路１０Ｂと、青色レーザドライバ２０Ｂと、青色レーザ電源回路３０Ｂと、青色レーザダイオード４０Ｂと、光軸合わせ用光学系６０と、レーザ走査部７０と、走査駆動部８０と、を主に備える。
【００２０】
背面投射型プロジェクタ１００では、赤、緑、青各色の映像データＶＲ、ＶＧ、ＶＢに基づいて、一画素ごとに赤色レーザダイオード４０Ｒ、緑色レーザダイオード４０Ｇ、青色レーザダイオード４０Ｂそれぞれの発光光量を制御する。そして、各レーザダイオード４０Ｒ、４０Ｇ、４０Ｂから発生されるレーザ光の合成光を、スクリーン１１０上に走査させることにより、スクリーン１１０上に、映像データに基づく画像を形成させる。
【００２１】
赤色映像処理回路１０Ｒは、入力される映像データＶＲを、一旦、フレームメモリ（後述する）に格納した後、１フレームごとの描画データＤＲとして、赤色レーザドライバ２０Ｒに出力する。また、赤色映像処理回路１０Ｒは、入力される映像データＶＲに基づいて、赤色レーザ電源回路３０Ｒの出力電圧Ｖｃｃを制御するための電圧値指示信号ＥＲを、赤色レーザ電源回路３０Ｒに出力する。
【００２２】
赤色レーザドライバ２０Ｒは、描画データＤＲに基づいて、赤色レーザダイオード４０Ｒの駆動電流を制御することにより、赤色レーザダイオード４０Ｒの発光光量を制御する。
【００２３】
赤色レーザ電源回路３０Ｒは、赤色映像処理回路１０Ｒからの電圧値指示信号ＥＲに基づいて、赤色レーザドライバ２０Ｒに所定の電圧を印加する。本実施例において、赤色レーザ電源回路３０Ｒは、赤色レーザドライバ２０Ｒが１フレーム分の映像データＶＲに基づいて赤色レーザダイオード４０Ｒを制御している間は、赤色レーザドライバ２０Ｒに、一定の電圧を印加するように制御される。
【００２４】
なお、緑色映像処理回路１０Ｇと、青色映像処理回路１０Ｂの構成および動作は、赤色映像処理回路１０Ｒと同様であり、緑色レーザドライバ２０Ｇと、青色レーザドライバ２０Ｂの構成および動作は、赤色レーザドライバ２０Ｒと同様であり、緑色レーザ電源回路３０Ｇと、青色レーザ電源回路３０Ｂの構成および動作は、赤色レーザ電源回路３０Ｒと同様であるため、以下、赤色映像処理回路１０Ｒと、赤色レーザドライバ２０Ｒと、赤色レーザ電源回路３０Ｒの構成および動作について、詳細に説明し、緑色および青色に関する構成および動作の説明は、省略する。
【００２５】
光軸合わせ用光学系６０は、赤色レーザ光ＬＲ、緑色レーザ光ＬＧ、青色レーザ光ＬＢの光軸合わせを行うための光学系であり、第１のダイクロイックミラー６０ａと、第２のダイクロイックミラー６０ｂを備える。
【００２６】
第１のダイクロイックミラー６０ａは、光軸Ｌａに対して４５°の傾斜を持って光軸Ｌａ上に設置されており、赤色レーザ光ＬＲを光軸Ｌａに沿って第２のダイクロイックミラー６０ｂに向けて透過する一方、緑色レーザ光ＬＧを光軸Ｌａに一致するように６０ｂに向けて反射する。
【００２７】
第２のダイクロイックミラー６０ｂは、第１のダイクロイックミラー６０ａと同様に、光軸Ｌａに対して、４５°の角度を持って、光軸Ｌａ上に設置されており、赤色レーザ光ＬＲおよび緑色レーザ光ＬＧを光軸Ｌａに沿ってレーザ走査部７０に向けて透過する一方、青色レーザ光ＬＢを光軸Ｌａに一致するように、レーザ走査部７０に向けて反射する。
【００２８】
すなわち、第２のダイクロイックミラー６０ｂは、赤色レーザ光ＬＲ、緑色レーザ光ＬＧ、青色レーザ光ＬＢの合成光（以下、単に「レーザ光」とも称する。）をレーザ走査部７０に向けて射出する。
【００２９】
レーザ走査部７０は、共振型のＭＥＭＳ（Ｍｉｃｒｏ  Ｅｌｅｃｔｒｏ  Ｍｅｃｈａｎｉｃａｌ  Ｓｙｓｔｅｍ）スキャナであり、走査駆動部８０から入力される走査駆動信号に基づいて、光軸合わせ用光学系６０を介して入射されるレーザ光をスクリーン１１０上に走査する。
【００３０】
走査駆動部８０は、外部の画像供給装置から映像データＶＲ、ＶＧ、ＶＢと共に入力される同期信号に基づいて、レーザ走査部７０を駆動するための走査駆動信号を生成して、レーザ走査部７０に出力する。
【００３１】
スクリーン１１０は、レーザ走査部７０によって走査されたレーザ光を透過する透過型スクリーンである。すなわち、ユーザは、スクリーン１１０におけるレーザ光の照射面と反対側の面から表示画像を鑑賞することになる。なお、本実施例における背面投射型プロジェクタ１００では、スクリーン１１０の鑑賞側の面のみを露出させて、その他の構成要素は、筐体内部に収納されており、外部の光の影響を排除するような構造となっている。
【００３２】
本実施例における赤色レーザダイオード４０Ｒ、緑色レーザダイオード４０Ｇ、青色レーザダイオード４０Ｂが、それぞれ、請求項における光源に相当する。本実施例における赤色レーザドライバ２０Ｒ、緑色レーザドライバ２０Ｇ、青色レーザドライバ２０Ｂが、それぞれ、請求項における光源駆動部に相当する。本実施例における赤色レーザ電源回路３０Ｒ、緑色レーザ電源回路３０Ｇ、青色レーザ電源回路３０Ｂが、それぞれ、請求項における光源駆動用電源に相当する。本実施例における赤色映像処理回路１０Ｒ、緑色映像処理回路１０Ｇ、青色映像処理回路１０Ｂが、それぞれ、請求項における電圧制御部に相当する。本実施例におけるレーザ走査部７０が、請求項における走査部に相当し、本実施例におけるスクリーン１１０が、請求項における被投射面に、それぞれ、相当する。
【００３３】
Ａ−１−１．赤色映像処理回路の構成：
図２は、赤色映像処理回路１０Ｒの概略構成を示すブロック図である。図２に示すように、赤色映像処理回路１０Ｒは、フレームメモリ１２Ｒと、最大光量検出回路１４Ｒと、電圧値算出回路１６Ｒと、を備える。フレームメモリ１２Ｒは、例えば、ＤＶＤプレイヤー等の外部の画像供給装置(図示せず)から入力される、赤色用の映像データＶＲを、１フレーム分ずつ蓄積する。本実施例において、映像データＶＲは、説明を簡単にするために、４ビットのシリアルデータとする。すなわち、本実施例における背面投射型プロジェクタ１００は、「０」〜「１５」までの１６階調（４０９６色）の画像表示が可能である。
【００３４】
図３は、最大光量検出回路１４Ｒおよび電圧値算出回路１６Ｒにおける、赤色レーザ電源回路３０Ｒの出力電圧Ｖｃｃの電圧値の決定方法を、概念的に示す概念図である。図３では、赤色レーザ電源回路３０Ｒの出力電圧Ｖｃｃの電圧値Ｖｉ（ｎ）（ｎ＝１，２，３，・・・・）を、連続する３フレームについて、外部から赤色映像処理回路１０Ｒに映像データが入力されるタイミングと、描画データＤＲが赤色レーザドライバ２０Ｒに入力されるタイミングと共に、示している。なお、ｎはフレーム番号を表し、図３では、フレーム（Ｎ−１）〜フレーム（Ｎ＋２）について、例示している。
【００３５】
図３（ａ）は、赤色映像処理回路１０Ｒに入力される映像データＶＲのフレーム番号、（ｂ）は、映像データＶＲに対応する赤色レーザダイオード４０Ｒの発光光量値（ｍＷ）、（ｃ）は、赤色レーザダイオード４０Ｒが（ｂ）に示される発光光量を発生させるのに必要な駆動電圧（Ｖ）、（ｄ）は、赤色レーザドライバ２０Ｒに入力される描画データＤＲのフレーム番号、（ｅ）は、（ｄ）の描画データＤＲのフレーム番号に対応する赤色レーザ電源回路３０Ｒの出力電圧Ｖｃｃ（ｖ）を示す。
【００３６】
最大光量検出回路１４Ｒは、フレームメモリ１２Ｒに格納された１フレーム分の映像データＶＲに基づいて、赤色レーザダイオード４０Ｒから発生される出力光の最大光量を検出する。具体的には、映像データＶＲに基づいて映像を再現するのに必要な赤色レーザダイオード４０Ｒの発光光量を、予め調べておき、映像データＶＲと赤色レーザダイオード４０Ｒの発光光量との関係をマップとして、赤色映像処理回路１０Ｒの備えるメモリ（図示しない）に記憶させておく。
【００３７】
そして、最大光量検出回路１４Ｒは、上記したマップを参照して、フレームメモリ１２Ｒに格納された１フレーム分の映像データＶＲ、それぞれに対応する発光光量を求める。例えば、図３（ｂ）に示すように、フレーム（Ｎ）〜フレーム（Ｎ＋２）の画像を形成するのに必要な発光光量が求められる。そうすると、各フレームに対して、最大光量Ｉｍ（Ｎ）、Ｉｍ（Ｎ＋１）、Ｉｍ（Ｎ＋２）が、それぞれ検出される。
【００３８】
図４は、赤色レーザダイオード４０Ｒの駆動電圧−駆動電流−発光光量特性を示す図である。電圧値算出回路１６Ｒは、最大光量検出回路１４Ｒによって検出された最大光量Ｉｍ（ｎ）に基づいて、赤色レーザダイオード４０Ｒが、その最大光量Ｉｍ（ｎ）を発生させるのに必要な、赤色レーザ電源回路３０Ｒの出力電圧Ｖｃｃの電圧値Ｖｉ（ｎ）を算出する。
【００３９】
以下に、図３に基づいて、具体的に説明する。図４に示す、赤色レーザダイオード４０Ｒの駆動電圧−駆動電流−発光光量特性を表すマップを、予め、赤色映像処理回路１０Ｒの備えるメモリ（図示しない）に記憶させておく。例えば、図３に示す、フレーム（Ｎ）の映像データについて説明すると、まず、電圧値算出回路１６Ｒは、赤色レーザダイオード４０Ｒの駆動電圧−駆動電流−発光光量特性を表すマップを参照して、最大光量検出回路１４Ｒによって検出された最大光量Ｉｍ（Ｎ）を、赤色レーザダイオード４０Ｒに発生させるのに必要な、駆動電圧Ｖｍ（Ｎ）を求める（図３（ｃ））。そして、電圧値算出回路１６Ｒは、駆動電圧Ｖｍに、赤色レーザドライバ２０Ｒで消費される電圧降下分Ｖｓ（一定値）を加えて、赤色レーザドライバ２０Ｒに印加する電圧の電圧値Ｖｉ（Ｎ）を求める（図３（ｅ））。そして、電圧値Ｖｉ（Ｎ）を示す電圧値指示信号ＥＲを、赤色レーザ電源回路３０Ｒに出力する。
【００４０】
Ａ−１−２．赤色レーザ電源回路の構成：
赤色レーザ電源回路３０Ｒは、上記した電圧値算出回路１６Ｒから入力される電圧値指示信号ＥＲに基づいて、赤色レーザドライバ２０Ｒに印加する電圧（すなわち、赤色レーザ電源回路３０Ｒの出力電圧Ｖｃｃ）を電圧値Ｖｉ（ｎ）に制御して、赤色レーザドライバ２０Ｒに印加する。上記したように、赤色レーザ電源回路３０Ｒは、フレームごとに、映像データＶＲに基づいて、出力電圧Ｖｃｃを制御する。
【００４１】
図５は、赤色レーザ電源回路３０Ｒの構成を概略的に示すブロック図である。赤色レーザ電源回路３０Ｒは、制御部３２Ｒと、ＤＣ−ＤＣ変換部３４Ｒと、電圧モニタ部３６Ｒと、を備える。赤色レーザ電源回路３０Ｒは、ＤＣ−ＤＣ変換部３４Ｒからの出力電圧を電圧モニタ部３６Ｒでモニタして、制御部３２Ｒにて、電圧値指示信号ＥＲによって指示された電圧値Ｖｉ（ｎ）との差分を取り、出力電圧Ｖｃｃが電圧値Ｖｉ（ｎ）になるように、ＤＣ−ＤＣ変換部３４Ｒを制御する、フィードバック制御を行なっている。
【００４２】
本実施例において、後述するように、赤色レーザドライバ２０Ｒは、映像データＶＲに基づいて、出力電流を変更している（すなわち、赤色レーザドライバ２０Ｒの内部抵抗を変更している。）。そのため、制御部３２Ｒが、電圧値指示信号ＥＲに基づいて、ＤＣ−ＤＣ変換部３４Ｒに対して、後述するトランジスタＳＷＡ、トランジスタＳＷＢのオン／オフを制御する制御信号ＣＲを送出しても、ＤＣ−ＤＣ変換部３４Ｒからの出力電圧が、指示通りの電圧値にならない場合がある。そこで、上記の通り、フィードバック制御を行なうことにより、より正確に出力電圧を制御することができる。
【００４３】
図６は、ＤＣ−ＤＣ変換部３４Ｒの回路構成を概略的に示す図、図７は、トランジスタＳＷＡおよびトランジスタＳＷＢの動作と、インダクタンスＩ１０に流れる電流および出力電圧Ｖｃｃとの関係を示す図である。ＤＣ−ＤＣ変換部３４Ｒは、元電源Ｖｂと、トランジスタＳＷＡと、トランジスタＳＷＢと、インダクタンスＩ１０と、コンデンサＣ１０と、を備える。図７における負荷は、本実施例における赤色レーザドライバ２０Ｒに相当する。
【００４４】
トランジスタＳＷＡおよびトランジスタＳＷＢは、スイッチとして動作する。ＤＣ−ＤＣ変換部３４Ｒは、２つのトランジスタＳＷＡ、ＳＷＢのオン／オフを切り替えることで、インダクタンスＩ１０にエネルギを溜め、コンデンサＣ１０で平滑化して、負荷に所定の電圧を印加する構成である。図７（ａ）に示すように、制御部３２Ｒからの制御信号ＣＲに基づいて、トランジスタＳＷＡ、ＳＷＢのオン／オフ時間を変更することにより、出力電圧を制御している。
【００４５】
例えば、トランジスタＳＷＡオン、トランジスタＳＷＢオフの時間が短い場合（図７における（Ａ）区間）には、図示するように、インダクタンスＩ１０を流れる電流が少ないため、コンデンサＣ１０に充電される電圧が小さくなる。したがって、出力電圧Ｖｃｃが小さくなる。一方、トランジスタＳＷＡオン、トランジスタＳＷＢオフの時間が長い場合（図７における（Ｂ）区間）には、図示するように、インダクタンスＩ１０を流れる電流が多くなるため、コンデンサＣ１０に充電される電圧が大きくなる。したがって、出力電圧Ｖｃｃを大きくすることができる。
【００４６】
このように、ＤＣ−ＤＣ変換部３４Ｒでは、制御信号ＣＲに応じて、出力電圧Ｖｃｃを精度よく制御することができる。また、ＤＣ−ＤＣ変換部３４Ｒは、トランジスタＳＷＡ、ＳＷＢのスイッチング動作により、電圧を制御しているため、電圧降下が少なく、高い電力効率で、電圧変換を行なうことができる。
【００４７】
Ａ−１−３．赤色レーザドライバの構成：
赤色レーザドライバ２０Ｒは、赤色映像処理回路１０Ｒから供給される描画データＤＲ応じた駆動電流を、赤色レーザダイオード４０Ｒに供給する。以下、図８に基づいて、赤色レーザドライバ２０Ｒの構成について、詳細に説明する。
【００４８】
図８は、赤色レーザドライバ２０Ｒの回路構成を概略的に示す図である。図示するように、赤色レーザドライバ２０Ｒは、第１の電流源ＣＳ１と、第２の電流源ＣＳ２と、第１の入力側トランジスタ素子Ｔｉ１と、第２の入力側トランジスタ素子Ｔｉ２と、第１の出力側トランジスタ素子Ｔｏ１と、第２の出力側トランジスタ素子Ｔｏ２と、第３の出力側トランジスタ素子Ｔｏ３と、第４の出力側トランジスタ素子Ｔｏ４と、第５の出力側トランジスタ素子Ｔｏ５と、第１の出力切替スイッチＳ１と、第２の出力切替スイッチＳ２と、第３の出力切替スイッチＳ３と、第４の出力切替スイッチＳ４と、第１のダミー負荷Ｒ１と、第２のダミー負荷Ｒ２と、第３のダミー負荷Ｒ３と、第４のダミー負荷Ｒ４と、を備える。
【００４９】
第１の電流源ＣＳ１は、入力端子が赤色レーザ電源回路３０Ｒの出力端子（出力電圧Ｖｃｃ）に接続され、出力端子が第１の入力側トランジスタ素子Ｔｉ１のドレイン端子およびゲート端子に接続されている。第１の電流源ＣＳ１は、赤色レーザ電源回路３０Ｒの出力電圧Ｖｃｃの電圧値が変更されても、一定の電流値Ｉｇの電流を生成するように構成されている。
【００５０】
第１の入力側トランジスタ素子Ｔｉ１は、ｎチャネル型のＭＯＳ（Ｍｅｔａｌ  Ｏｘｉｄｅ  Ｓｅｍｉｃｏｎｄｕｃｔｏｒ）トランジスタ素子であり、ドレイン端子は第１の電流源ＣＳ１の出力端子に接続され、ゲート端子は、第１の電流源ＣＳ１の出力端子と第１の出力側トランジスタ素子Ｔｏ１〜第４の出力側トランジスタ素子Ｔｏ４のゲート端子に接続され、ソース端子はグランドラインと接続されている。
【００５１】
第１の出力側トランジスタ素子Ｔｏ１は、ｎチャネル型のＭＯＳトランジスタ素子であり、ドレイン端子は第１の出力切替スイッチＳ１の一方の端子に接続され、ゲート端子は、第１の入力側トランジスタ素子Ｔｉ１のゲート端子と、第２の出力側トランジスタ素子Ｔｏ２〜第４の出力側トランジスタ素子Ｔｏ４のゲート端子に接続され、ソース端子はグランドラインと接続されている。
【００５２】
第２の出力側トランジスタ素子Ｔｏ２も、第１の出力側トランジスタ素子Ｔｏ１と同様に、ｎチャネル型のＭＯＳトランジスタ素子であり、ドレイン端子は第２の出力切替スイッチＳ２の一方の端子に接続され、ゲート端子は、第１の入力側トランジスタ素子Ｔｉ１、第１の出力側トランジスタ素子Ｔｏ１、第３の出力側トランジスタ素子Ｔｏ３、第４の出力側トランジスタ素子Ｔｏ４のゲート端子に接続され、ソース端子はグランドラインと接続されている。
【００５３】
第３の出力側トランジスタ素子Ｔｏ３も、第１の出力側トランジスタ素子Ｔｏ１と同様に、ｎチャネル型のＭＯＳトランジスタ素子であり、ドレイン端子は第３の出力切替スイッチＳ３の一方の端子に接続され、ゲート端子は、第１の入力側トランジスタ素子Ｔｉ１、第１の出力側トランジスタ素子Ｔｏ１、第２の出力側トランジスタ素子Ｔｏ２、第４の出力側トランジスタ素子Ｔｏ４のゲート端子に接続され、ソース端子はグランドラインと接続されている。
【００５４】
第４の出力側トランジスタ素子Ｔｏ４も、第１の出力側トランジスタ素子Ｔｏ１と同様に、ｎチャネル型のＭＯＳトランジスタ素子であり、ドレイン端子は第４の出力切替スイッチＳ４の一方の端子に接続され、ゲート端子は、第１の入力側トランジスタ素子Ｔｉ１、第１の出力側トランジスタ素子Ｔｏ１、第２の出力側トランジスタ素子Ｔｏ２、第３の出力側トランジスタ素子Ｔｏ３のゲート端子に接続され、ソース端子はグランドラインと接続されている。
【００５５】
つまり、第１の電流源ＣＳ１、第１の入力側トランジスタ素子Ｔｉ１、第１の出力側トランジスタ素子Ｔｏ１〜第４の出力側トランジスタ素子Ｔｏ４によって、第１の入力側トランジスタ素子Ｔｉ１を入力側トランジスタとし、第１の出力側トランジスタ素子Ｔｏ１〜第４の出力側トランジスタ素子Ｔｏ４を出力側のトランジスタ（つまり電流源）とするカレントミラー回路が構成されている。ここで、本実施例では、第１の出力側トランジスタ素子Ｔｏ１〜第４の出力側トランジスタ素子Ｔｏ４の電気的特性を、各々に対応するビットデータに応じた電流を生成するように設定する。
【００５６】
具体的には、第１の出力側トランジスタ素子Ｔｏ１は、４ビットの描画データＤＲのうち、ＬＳＢである１ビット目のビットデータＢ１に対応しており、第１の電流源ＣＳ１によって生成される電流（電流値Ｉｇ）の１／１６の電流が生成されるように電気的特性が設定されている。
【００５７】
第２の出力側トランジスタ素子Ｔｏ２は、４ビットの描画データＤＲのうち、２ビット目のビットデータＢ２に対応しており、第１の電流源ＣＳ１によって生成される電流（電流値Ｉｇ）の１／８の電流が生成されるように電気的特性が設定されている。
【００５８】
第３の出力側トランジスタ素子Ｔｏ３は、４ビットの描画データＤＲのうち、３ビット目のビットデータＢ３に対応しており、第１の電流源ＣＳ１によって生成される電流（電流値Ｉｇ）の１／４の電流が生成されるように電気的特性が設定されている。
【００５９】
第４の出力側トランジスタ素子Ｔｏ４は、４ビットの描画データＤＲのうち、ＭＳＢである４ビット目のビットデータＢ４に対応しており、第１の電流源ＣＳ１によって生成される電流（電流値Ｉｇ）の１／２の電流が生成されるように電気的特性が設定されている。
【００６０】
第１のダミー負荷Ｒ１は、所定の抵抗値を有する抵抗素子であり、一端は赤色レーザ電源回路３０Ｒの出力端子（出力電圧Ｖｃｃ）と接続され、他端は第１の出力切替スイッチＳ１の第３の端子Ｓ１ｃと接続されている。
【００６１】
第２のダミー負荷Ｒ２も、所定の抵抗値を有する抵抗素子であり、一端は赤色レーザ電源回路３０Ｒの出力端子（出力電圧Ｖｃｃ）と接続され、他端は、第２の出力切替スイッチＳ２の第３の端子Ｓ２ｃと接続されている。
【００６２】
第３のダミー負荷Ｒ３も、所定の抵抗値を有する抵抗素子であり、一端は赤色レーザ電源回路３０Ｒの出力端子（出力電圧Ｖｃｃ）と接続され、他端は、第３の出力切替スイッチＳ３の第３の端子Ｓ３ｃと接続されている。
【００６３】
第４のダミー負荷Ｒ４も、所定の抵抗値を有する抵抗素子であり、一端は赤色レーザ電源回路３０Ｒの出力端子（出力電圧Ｖｃｃ）と接続され、他端は、第４の出力切替スイッチＳ４の第３の端子Ｓ４ｃと、接続されている。
【００６４】
第１の出力切替スイッチＳ１は、４ビットの描画データＤＲのうち、ＬＳＢである１ビット目のビットデータＢ１に対応して設けられており、そのビットデータＢ１の値に応じて、第１の端子Ｓ１ａと第３の端子Ｓ１ｃとの間、および第２の端子Ｓ１ｂと第４の端子Ｓ１ｄとの間の接続／非接続を切り替えるスイッチ素子である。
【００６５】
第１の端子Ｓ１ａおよび第２の端子Ｓ１ｂは、第１の出力側トランジスタ素子Ｔｏ１のドレイン端子に接続され、第３の端子Ｓ１ｃは第１のダミー負荷Ｒ１の他端と接続され、第４の端子Ｓ１ｄは第２の電流源ＣＳ２の入力端子と接続されている。
【００６６】
本実施例では、ビットデータＢ１が「１」の場合に、第１の端子Ｓ１ａと第３の端子Ｓ１ｃとの間を非接続、第２の端子Ｓ１ｂと第４の端子Ｓ１ｄとの間を接続とし、「０」の場合に第１の端子Ｓ１ａと第３の端子Ｓ１ｃとの間を接続、第２の端子Ｓ１ｂと第４の端子Ｓ１ｄとの間を非接続とする。
【００６７】
第２の出力切替スイッチＳ２は、４ビットの描画データＤＲのうち、２ビット目のビットデータＢ２に対応して設けられており、そのビットデータＢ２の値に応じて、第１の端子Ｓ２ａと第３の端子Ｓ２ｃとの間、および第２の端子Ｓ２ｂと第４の端子Ｓ２ｄとの間の接続／非接続を切り替えるスイッチ素子である。
【００６８】
第１の端子Ｓ２ａおよび第２の端子Ｓ２ｂは、第２の出力側トランジスタ素子Ｔｏ２のドレイン端子に接続され、第３の端子Ｓ２ｃは第２のダミー負荷Ｒ２の他端と接続され、第４の端子Ｓ２ｄは第２の電流源ＣＳ２の入力端子と接続されている。
【００６９】
本実施例では、ビットデータＢ２が「１」の場合に、第１の端子Ｓ２ａと第３の端子Ｓ２ｃとの間を非接続、第２の端子Ｓ２ｂと第４の端子Ｓ２ｄとの間を接続とし、「０」の場合に第１の端子Ｓ２ａと第３の端子Ｓ２ｃとの間を接続、第２の端子Ｓ２ｂと第４の端子Ｓ２ｄとの間を非接続とする。
【００７０】
第３の出力切替スイッチＳ３は、４ビットの描画データＤＲのうち、３ビット目のビットデータＢ３に対応して設けられており、そのビットデータＢ３の値に応じて、第１の端子Ｓ３ａと第３の端子Ｓ３ｃとの間、および第２の端子Ｓ３ｂと第４の端子Ｓ３ｄとの間の接続／非接続を切り替えるスイッチ素子である。
【００７１】
第１の端子Ｓ３ａおよび第２の端子Ｓ３ｂは、第３の出力側トランジスタ素子Ｔｏ３のドレイン端子に接続され、第３の端子Ｓ３ｃは第３のダミー負荷Ｒ３の他端と接続され、第４の端子Ｓ３ｄは第２の電流源ＣＳ２の入力端子と接続されている。
【００７２】
本実施例では、ビットデータＢ３が「１」の場合に、第１の端子Ｓ３ａと第３の端子Ｓ３ｃとの間を非接続、第２の端子Ｓ３ｂと第４の端子Ｓ３ｄとの間を接続とし、「０」の場合に第１の端子Ｓ３ａと第３の端子Ｓ３ｃとの間を接続、第２の端子Ｓ３ｂと第４の端子Ｓ３ｄとの間を非接続とする。
【００７３】
第４の出力切替スイッチＳ４は、４ビットの描画データＤＲのうち、ＭＳＢである４ビット目のビットデータＢ４に対応して設けられており、そのビットデータＢ４の値に応じて、第１の端子Ｓ４ａと第３の端子Ｓ４ｃとの間、および第２の端子Ｓ４ｂと第４の端子Ｓ４ｄとの間の接続／非接続を切り替えるスイッチ素子である。
【００７４】
第１の端子Ｓ４ａおよび第２の端子Ｓ４ｂは、第４の出力側トランジスタ素子Ｔｏ４のドレイン端子に接続され、第３の端子Ｓ４ｃは第４のダミー負荷Ｒ４の他端と接続され、第４の端子Ｓ４ｄは第２の電流源ＣＳ２の入力端子と接続されている。
【００７５】
本実施例では、ビットデータＢ４が「１」の場合に、第１の端子Ｓ４ａと第３の端子Ｓ４ｃとの間を非接続、第２の端子Ｓ４ｂと第４の端子Ｓ４ｄとの間を接続とし、「０」の場合に第１の端子Ｓ４ａと第３の端子Ｓ４ｃとの間を接続、第２の端子Ｓ４ｂと第４の端子Ｓ４ｄとの間を非接続とする。
【００７６】
第２の電流源ＣＳ２は、入力端子が第１の出力切替スイッチＳ１〜第４の出力切替スイッチＳ４における第４の端子Ｓ１ｄ〜Ｓ４ｄと、第２の入力側トランジスタ素子Ｔｉ２のドレイン端子およびゲート端子とに接続され、出力端子がグランドラインに接続されており、赤色レーザダイオード４０Ｒの閾値電流Ｉｔｈを生成する。
【００７７】
図４に示すように、閾値電流Ｉｔｈとは、赤色レーザダイオード４０Ｒにおいてレーザ光の発生に必要な電流値である。より正確には、赤色レーザダイオード４０Ｒに閾値電流Ｉｔｈを供給してもレーザ光の発生には至らない（すなわち、光量は「０」）が、閾値電流Ｉｔｈより大きな駆動電流を供給するとレーザ光が発生する。すなわち、発光光量は、赤色レーザダイオード４０Ｒに供給する駆動電流ＩＲから閾値電流Ｉｔｈを差し引いた電流値に比例して増減する。
【００７８】
第２の入力側トランジスタ素子Ｔｉ２は、ｐチャネル型のＭＯＳトランジスタ素子であり、ソース端子は赤色レーザ電源回路３０Ｒの出力端子（出力電圧Ｖｃｃ）に接続され、ゲート端子は自身のドレイン端子と第５の出力側トランジスタ素子Ｔｏ５のゲート端子に接続され、ドレイン端子は第２の電流源ＣＳ２の入力端子と、第１の出力切替スイッチＳ１〜第４の出力切替スイッチＳ４における第４の端子Ｓ１ｄ〜Ｓ４ｄと接続されている。
【００７９】
第５の出力側トランジスタ素子Ｔｏ５は、ｐチャネル型のＭＯＳトランジスタ素子であり、ソース端子は赤色レーザ電源回路３０Ｒの出力端子（出力電圧Ｖｃｃ）に接続され、ゲート端子は第２の入力側トランジスタ素子Ｔｉ２のゲート端子およびドレイン端子に接続され、ドレイン端子は赤色レーザダイオード４０Ｒのアノード端子に接続されている。
【００８０】
つまり、第２の入力側トランジスタ素子Ｔｉ２と第５の出力側トランジスタ素子Ｔｏ５は、第２の入力側トランジスタ素子Ｔｉ２を入力側、第５の出力側トランジスタ素子Ｔｏ５を出力側とするカレントミラー回路を構成しており、第２の電流源ＣＳ２が生成する閾値電流Ｉｔｈと、第１の出力切替スイッチＳ１〜第４の出力切替スイッチＳ４における第４の端子Ｓ１ｄ〜Ｓ４ｄに流れる電流との合成電流を入力とし、その合成電流と略同一の電流値を有する電流を駆動電流ＩＲとして赤色レーザダイオード４０Ｒに出力する。
【００８１】
以上の説明からわかるように、赤色レーザドライバ２０Ｒは、描画データＤＲに応じて第１の出力切替スイッチＳ１〜第４の出力切替スイッチＳ４の接続／非接続を切替えることにより、第１の出力側トランジスタ素子Ｔｏ１〜第４の出力側トランジスタ素子Ｔｏ４によって生成される電流を、各々に対応する第１のダミー負荷Ｒ１〜Ｒ４に出力するか、または光源である赤色レーザダイオード４０Ｒに出力するかを切替える構成となっている。
【００８２】
例えば、描画データＤＲが階調値「０」、つまり、ビットデータＢ１〜Ｂ４が全て「０」である場合、第１の出力側トランジスタ素子Ｔｏ１〜第４の出力側トランジスタ素子Ｔｏ４によって生成される電流は、各々に対応する第１のダミー負荷Ｒ１〜Ｒ４に流れるため、駆動電流ＩＲ＝閾値電流Ｉｔｈとなる。そうすると、図４に示すように、赤色レーザダイオード４０Ｒにおいて、レーザ光は発生しない。すなわち、赤色に関しては、黒表示となる。
【００８３】
また、描画データＤＲが階調値「１」つまりビットデータＢ１が「１」でビットデータＢ２〜Ｂ４が「０」である場合、第１の出力側トランジスタ素子Ｔｏ１だけが第２の電流源ＣＳ２の入力端子と接続されるため、駆動電流ＩＲ＝閾値電流Ｉｔｈ+Ｉｇ／１６となる。この場合、赤色レーザダイオード４０Ｒにおいて駆動電流ＩＲから閾値電流Ｉｔｈを差し引いた電流値Ｉｇ／１６に応じた光量（すなわち、階調値「１」に応じた光量）のレーザ光が発生する。
【００８４】
また、描画データＤＲが階調値「２」、すなわち、ビットデータＢ２が「１」でビットデータＢ１、Ｂ３、Ｂ４がそれぞれ「０」である場合、第２の出力側トランジスタ素子Ｔｏ２だけが第２の電流源ＣＳ２の入力端子と接続されるため、駆動電流ＩＲ＝閾値電流Ｉｔｈ+Ｉｇ／８となる。この場合、赤色レーザダイオード４０Ｒにおいて駆動電流ＩＲから閾値電流Ｉｔｈを差し引いた電流値Ｉｇ／８に応じた光量（すなわち、階調値「２」に応じた光量）のレーザ光が発生する。
【００８５】
このように、階調値が「１」増すごとに、駆動電流ＩＲはＩｇ／１６ずつ増大し、最大階調値「１５」の場合、すなわち、ビットデータＢ１〜Ｂ４が全て「１」である場合、第１の出力側トランジスタ素子Ｔｏ１〜第４の出力側トランジスタ素子Ｔｏ４の全てが第２の電流源ＣＳ２の入力端子と接続されるため、駆動電流ＩＲ＝閾値電流Ｉｔｈ+１５・Ｉｇ／１６となる。この場合、赤色レーザダイオード４０Ｒにおいて駆動電流ＩＲから閾値電流Ｉｔｈを差し引いた電流１５・Ｉｇ／１６に応じた光量（すなわち、最大階調値「１５」に応じた光量）のレーザ光が発生する。
【００８６】
赤色レーザダイオード４０Ｒは、上記した赤色レーザドライバ２０Ｒから供給される駆動電流ＩＲに応じて赤色単色のレーザ光を発生し、そのレーザ光を光軸合わせ用光学系６０に向けて照射する。
【００８７】
Ａ−２．赤色レーザダイオードの制御：
背面投射型プロジェクタ１００における、赤色レーザダイオード４０Ｒの制御方法について、図３に示す、フレーム（Ｎ）の映像データＶＲに基づいて、赤色レーザダイオード４０Ｒを制御する場合を例示して、図９に基づいて、簡単に説明する。図９は、赤色レーザダイオードの制御の流れを示すフローチャートである。
【００８８】
まず、背面投射型プロジェクタ１００に、映像データＶＲが入力されると、赤色映像処理回路１０Ｒは、映像データＶＲを１フレームごとに、フレームメモリ１２Ｒに格納する。フレーム（Ｎ）の映像データＶＲが、フレームメモリ１２Ｒに、格納されると（ステップＳ１０２）、最大光量検出回路１４Ｒは、上記した映像データＶＲと赤色レーザダイオード４０Ｒの発光光量との関係を示すマップを参照して、フレーム（Ｎ）に含まれる各映像データＶＲに対応する発光光量を導出して、１フレーム分の各発光光量のうち、最大の発光光量（最大光量Ｉｍ（Ｎ））を検出する（ステップＳ１０４）。
【００８９】
続いて、電圧値算出回路１６Ｒは、上記した、赤色レーザダイオード４０Ｒの駆動電圧−駆動電流−発光光量特性を表すマップを参照して、最大光量Ｉｍ（Ｎ）に基づいて、赤色レーザダイオード４０Ｒが最大光量Ｉｍ（Ｎ）の出力光を発生するのに必要な駆動電圧Ｖｍ（Ｎ）を導出する（ステップＳ１０６）。そして、電圧値算出回路１６Ｒは、駆動電圧Ｖｍ（Ｎ）に、電圧降下分Ｖｓを加算して、赤色レーザ電源回路３０Ｒの出力電圧Ｖｃｃの電圧値Ｖｉ（Ｎ）を算出して、赤色レーザ電源回路３０Ｒに、電圧値指示信号ＥＲを出力する（ステップＳ１０８）。
【００９０】
そうすると、赤色レーザ電源回路３０Ｒは、上記したように、電圧値指示信号ＥＲに基づいて、出力電圧Ｖｃｃが電圧値Ｖｉ（Ｎ）になるように、制御して、赤色レーザドライバ２０Ｒに電圧を印加する（ステップＴ１０２）。
【００９１】
赤色映像処理回路１０Ｒは、ステップＳ１０８において、赤色レーザ電源回路３０Ｒに、電圧値指示信号ＥＲを出力した後、赤色レーザ電源回路３０Ｒが赤色レーザドライバ２０Ｒに電圧値Ｖｉ（Ｎ）の電圧を印加するのに同期させて、赤色レーザドライバ２０Ｒにフレーム（Ｎ）に対応する描画データＤＲを出力する（ステップＳ１１０）。
【００９２】
そうすると、赤色レーザドライバ２０Ｒは、赤色レーザ電源回路３０Ｒから供給される電圧値Ｖｉ（Ｎ）の電力によって、描画データＤＲに基づく電流を生成し、赤色レーザダイオード４０Ｒに供給する（ステップＵ１０２）。なお、赤色レーザドライバ２０Ｒが、フレーム（Ｎ）に対応する描画データＤＲに基づいて、赤色レーザダイオード４０Ｒに供給する電流を制御している間中ずっと、赤色レーザ電源回路３０Ｒは、赤色レーザドライバ２０Ｒに、電圧値Ｖｉ（Ｎ）の一定の電力を供給している。これにより、赤色レーザダイオード４０Ｒの出力光が、映像データＶＲに基づいて変調される。
【００９３】
以上説明したように、複数の連続するフレームに対して、１フレームごとに、赤色映像処理回路１０Ｒにおいて、ステップＳ１０２〜ステップＳ１１０の処理、赤色レーザ電源回路３０ＲにおいてステップＴ１０２の処理、赤色レーザドライバ２０ＲにおいてステップＵ１０２処理を繰り返すことにより、複数の連続するフレームを有する映像データに基づいて、赤色レーザダイオード４０Ｒの出力光が変調される。
【００９４】
なお、本実施例におけるステップＳ１０４が、請求項における工程（ａ）に、本実施例におけるステップＳ１０６、ステップＳ１０８が、請求項における工程（ｂ）に、本実施例におけるステップＴ１０２が、請求項における工程（ｃ）に、それぞれ、相当する。また、本実施例における電圧値Ｖｉ（ｎ）が、請求項における出力電圧の指示値に相当する。
【００９５】
Ａ−３．実施例の効果：
以上説明したように、本実施例における背面投射型プロジェクタ１００では、１フレームごとに、赤色映像処理回路１０Ｒにおいて、赤色レーザダイオード４０Ｒを駆動するのに必要な電圧を算出して、必要な電圧を、赤色レーザ電源回路３０Ｒで生成して、赤色レーザドライバ２０Ｒに印加している。
【００９６】
例えば、図３（ｂ）に示すように、フレーム（Ｎ＋１）では、フレーム（Ｎ）に比べて、全体的に画像が暗く、最大光量Ｉｍ（Ｎ＋１）は、最大光量Ｉｍ（Ｎ）より小さい。したがって、図３（ｅ）に示すように、フレーム（Ｎ）では、赤色レーザ電源回路３０Ｒの出力電圧Ｖｃｃは、電圧値Ｖｉ（Ｎ）必要であるが、フレーム（Ｎ＋１）では、電圧値Ｖｉ（Ｎ＋１）（電圧値Ｖｉ（Ｎ）より小さい）しか必要でない。
【００９７】
そこで、フレーム（Ｎ）の描画データＤＲに基づいて、赤色レーザダイオード４０Ｒを制御する際には、赤色レーザドライバ２０Ｒには、電圧値Ｖｉ（Ｎ）の電圧を印加し、フレーム（Ｎ＋１）の描画データＤＲに基づいて、赤色レーザダイオード４０Ｒを制御する際には、赤色レーザドライバ２０Ｒには、電圧値Ｖｉ（Ｎ＋１）の電圧を印加するというように、フレームごとに、適した電圧を供給することにより、赤色レーザドライバ２０Ｒで消費される電力を低減することができる。同様に、緑色レーザドライバ２０Ｇ、青色レーザドライバ２０Ｂで消費される電力も低減することができる。したがって、背面投射型プロジェクタ１００における消費電力を低減させることができる。
【００９８】
Ｂ．変形例：
なお、本発明は上記した実施例に限られるものではなく、その要旨を逸脱しない範囲において種々の態様にて実施することが可能である。
【００９９】
（１）上記した実施例では、光源としてレーザダイオードを用いているが、光源は、上記した実施例に限定されず、例えば、ＬＥＤ等の他の光源を用いてもよい。また、上記した実施例では、３色のレーザダイオード４０Ｒ、４０Ｇ、４０Ｂに対して、１つのレーザ走査部７０を用いる構成を例示しているが、このような構成に限定されず、例えば、各レーザダイオード４０Ｒ、４０Ｇ、４０Ｂごとに、走査部を設ける構成にしてもよい。
【０１００】
（２）上記した実施例では、赤色映像処理回路１０Ｒにおいて、１フレームごとに、赤色レーザ電源回路３０Ｒの出力電圧Ｖｃｃの電圧値を決定するものを例示したが、電圧値を決定するサイクルは、上記した実施例に限定されない。例えば、複数フレームごとに電圧値を算出するようにしてもよいし、シーンの変化があった場合に、電圧値を算出するようにしてもよい。また、赤色レーザ電源回路３０Ｒの応答速度が速い場合には、例えば、１走査線ごとに電圧値を算出したり、複数走査線ごとに電圧を算出するようにしてもよい。さらに、１画素ごとに、電圧値を算出するようにしてもよい。
【０１０１】
（３）上記した実施例において、赤色レーザ電源回路３０Ｒの出力電圧Ｖｃｃの電圧値Ｖｉ（ｎ）は、１フレーム中の最大光量Ｉｍ（ｎ）に基づいて定められているが、電圧値Ｖｉ（ｎ）の決定方法は、上記した実施例に限定されない。例えば、映像データＶＲの階調値に対して、所定の電圧が定められ、映像データＶＲに基づいて、電圧が定められるようにしてもよい。また、映像データＶＲの階調値を、例えば、階調値０〜７を第１区分、階調値８〜１５を第２区分のように、所定の区分に分けて、１フレーム中の最大階調値が、属する区分に応じて、所定の電圧が定められるようにしてもよい。このようにしても、赤色レーザドライバ２０Ｒにおける消費電力を低減させることができるため、背面投射型プロジェクタ１００の消費電力を低減させることができる。
【０１０２】
（４）また、上記した実施例における赤色レーザドライバ２０Ｒの回路構成、赤色レーザ電源回路３０Ｒの構成、およびＤＣ−ＤＣ変換部３４Ｒは、上記した実施例に限定されない。赤色レーザドライバ２０Ｒは、描画データＤＲに基づいて、赤色レーザダイオード４０Ｒの駆動電流を制御可能な構成であればよい。また、例えば、ＤＣ−ＤＣ変換部３４Ｒにおいて、電圧値指示信号ＥＲに応じた電圧を、精度よく生成可能であれば、赤色レーザ電源回路３０Ｒは、制御部３２Ｒや電圧モニタ部３６Ｒを備えない構成にしてもよい。また、ＤＣ−ＤＣ変換部３４Ｒは、制御信号ＣＲに応じた電圧を生成可能な構成であればよい。
【図面の簡単な説明】
【０１０３】
【図１】本発明の画像表示装置の一実施例としての背面投射型プロジェクタ１００の概略構成を示すブロック図である。
【図２】赤色映像処理回路１０Ｒの概略構成を示すブロック図である。
【図３】赤色レーザ電源回路３０Ｒの出力電圧Ｖｃｃの電圧値の決定方法を概念的に示す概念図である。
【図４】赤色レーザダイオード４０Ｒの駆動電圧−駆動電流−発光光量特性を示す図である。
【図５】赤色レーザ電源回路３０Ｒの構成を概略的に示すブロック図である。
【図６】ＤＣ−ＤＣ変換部３４Ｒの回路構成を概略的に示す図である。
【図７】トランジスタＳＷＡおよびトランジスタＳＷＢの動作と出力電圧Ｖｃｃとの関係を示す図である。
【図８】赤色レーザドライバ２０Ｒの回路構成を概略的に示す図である。
【図９】赤色レーザダイオードの制御の流れを示すフローチャートである。
【符号の説明】
【０１０４】
１０Ｂ…青色映像処理回路
１０Ｇ…緑色映像処理回路
１０Ｒ…赤色映像処理回路
１２Ｒ…フレームメモリ
１４Ｒ…最大光量検出回路
１６Ｒ…電圧値算出回路
２０Ｂ…青色レーザドライバ
２０Ｇ…緑色レーザドライバ
２０Ｒ…赤色レーザドライバ
３０Ｂ…青色レーザ電源回路
３０Ｇ…緑色レーザ電源回路
３０Ｒ…赤色レーザ電源回路
３２Ｒ…制御部
３６Ｒ…電圧モニタ部
４０Ｂ…青色レーザダイオード
４０Ｇ…緑色レーザダイオード
４０Ｒ…赤色レーザダイオード
６０…光軸合わせ用光学系
６０ａ…第１のダイクロイックミラー
６０ｂ…第２のダイクロイックミラー
７０…レーザ走査部
８０…走査駆動部
１００…背面投射型プロジェクタ
１１０…スクリーン
ＤＣ−ＤＣ変換部…３４Ｒ
トランジスタ…ＳＷＡ、ＳＷＢ
Ｓ１…第１の出力切替スイッチ
Ｒ１…第１のダミー負荷
Ｂ１…ビットデータ
Ｓ２…第２の出力切替スイッチ
Ｒ２…第２のダミー負荷
Ｂ２…ビットデータ
Ｓ３…第３の出力切替スイッチ
Ｒ３…第３のダミー負荷
Ｂ３…ビットデータ
Ｒ４…第４のダミー負荷
Ｓ４…第４の出力切替スイッチ
Ｂ４…ビットデータ
ＬＢ…青色レーザ光
ＬＧ…緑色レーザ光
ＩＲ…駆動電流
ＶＲ…映像データ
ＤＲ…描画データ
ＥＲ…電圧値指示信号
ＬＲ…赤色レーザ光
ＣＲ…制御信号
Ｌａ…光軸
Ｖｂ…元電源
Ｉｇ…電流値
Ｖｉ…電圧値
Ｉｍ…最大光量
Ｖｍ…駆動電圧
Ｖｓ…電圧降下分
Ｉ１０…インダクタンス
Ｃ１０…コンデンサ
ＣＳ１…第１の電流源
ＣＳ２…第２の電流源
Ｓ１ａ…第１の端子
Ｓ１ｂ…第２の端子
Ｓ２ａ…第１の端子
Ｓ２ｂ…第２の端子
Ｓ１ｃ…第３の端子
Ｓ３ａ…第１の端子
Ｓ１ｄ…第４の端子
Ｓ４ａ…第１の端子
Ｓ３ｂ…第２の端子
Ｓ１ｄ…第４の端子
Ｓ２ｃ…第３の端子
Ｓ３ｃ…第３の端子
Ｓ２ｄ…第４の端子
Ｓ４ｂ…第２の端子
Ｓ４ｃ…第３の端子
Ｓ３ｄ…第４の端子
Ｓ４ｄ…第４の端子
Ｔｉ１…第１の入力側トランジスタ素子
Ｔｉ２…第２の入力側トランジスタ素子
Ｔｏ１…第１の出力側トランジスタ素子
Ｔｏ１…第１の出力側トランジスタ素子
Ｔｏ２…第２の出力側トランジスタ素子
Ｔｏ２…第２の出力側トランジスタ素子
Ｔｏ３…第３の出力側トランジスタ素子
Ｔｏ４…第４の出力側トランジスタ素子
Ｔｏ５…第５の出力側トランジスタ素子
Ｖｃｃ…出力電圧
Ｉｔｈ…閾値電流
描画データ…ＤＲ
【図１】
2009258356.tif 000003
【図２】
2009258356.tif 000004
【図３】
2009258356.tif 000005
【図４】
2009258356.tif 000006
【図５】
2009258356.tif 000007
【図６】
2009258356.tif 000008
【図７】
2009258356.tif 000009
【図８】
2009258356.tif 000010
【図９】
2009258356.tif 000011